(57)【特許請求の範囲】
【請求項１】
鉄塔間に架設されるロープを鉄塔に固定するために鉄塔に取り付けられるロープ固定装置において，
ロック状態時に開いている上部開口部分から入るロープを収容する所定長さの溝部と，
前記溝部にロープが収容されるとロック状態を解除するロック解除機構部と，
ロック状態の解除により，前記溝部内のロープを前記溝部の側面に押圧し且つ前記溝部の上部開口部分を閉じて，ロープを固定するロープ固定部と
を備えることを特徴とするロープ固定装置。
【請求項２】
請求項１において，
前記ロープ固定部は，前記溝部内のロープがロープの長さ方向に移動するのを抑止するクランプ部材を有することを特徴とする固定装置。
【請求項３】
請求項１又は２において，
前記ロック解除機構部は，前記溝部の底部に設けられるスイッチを有し，前記ロープが前記スイッチに接触することにより，ロック状態を解除することを特徴とするロープ固定装置。
【請求項４】
請求項１乃至３のいずれかにおいて，
前記溝部の長さ方向が水平面に対して所定の角度分上下に傾斜するように揺動可能に前記鉄塔に取り付けられることを特徴とするロープ固定装置。
【請求項５】
請求項１乃至４のいずれかにおいて，
前記ロープ固定部は，ロープを前記溝部の側面に押圧するバネを有し，ロック状態の解除により，ロック状態で圧縮保持されていたバネが解放されることで，前記バネがロープを前記溝部の側面に押圧することを特徴とするロープ固定装置。
【請求項６】
請求項１乃至５のいずれかにおいて，
前記ロープ固定部によりロープが固定されたことを表示する表示部を備えることを特徴とするロープ固定装置。
【請求項７】
請求項６において，
前記表示部は，表示旗を格納するケースと，該ケースの蓋を閉状態に維持するように前記ケースに取り付けられるピンと，前記ロープ固定部と前記ピンを繋ぐ接続手段とを有し，ロック状態の解除による前記ロープ固定部の移動により，前記ピンが前記ケースから外れて前記ケースの蓋が開き，前記ケースの中から前記表示旗が外部に出現することを特徴とするロープ固定装置。
【請求項８】
請求項６において，
前記表示部は，前記ロープ固定部のロック状態で視認可能に外部に露出し且つロック解除による前記ロープ固定部の移動により外部から視認不能になるような前記ロープ固定部の部位にあり，該部位は，前記ロープ固定部の他の部位と異なる色の着色部分を有することを特徴とするロープ固定装置。
【請求項９】
請求項１乃至８のいずれかにおいて，
ロープを前記溝部の上部開口部分に誘導するガイド部を備えることを特徴とするロープ固定装置。
【請求項１０】
請求項９において，
前記ガイド部は，前記ガイド部に沿って移動するロープを前記ガイド部上に置くための仮置き部を有することを特徴とするロープ固定装置。
【発明の詳細な説明】
【技術分野】
【０００１】
本発明は，鉄塔間に架設されるロープを鉄塔に固定するためのロープ固定装置に関するものであり，特に，ヘリコプターなどで中空に懸垂された送電線の延線用ロープを自動的に鉄塔に固定するのに好適なロープ固定装置に関するものである。
【背景技術】
【０００２】
従来から，鉄塔に送電線を張る場合には，最初から送電線を張るのではなく，最初に延線用のロープ（延線ロープ）を張り，その延線ロープをガイドとして鋼線に引き替え，最後に送電線に引き替えて架設する方法が用いられる。
【０００３】
最初に沿線用のロープを架設する場合であって，特に山岳地などで地上における作業が困難な場合には，ヘリコプターを用いた延線が行なわれる。
【０００４】
図９は，従来の延線ロープを張る工事の概要を示す図である。各鉄塔間は平均２５０メートル程度の距離があり，一度に１０基程度の鉄塔に延線ロープを架設する。各鉄塔の上部（送電線架線位置）に，２〜３名の作業員が待機した状態でヘリコプターを待っている。ヘリコプターの下部には，延線ロープ巻いたドラムが据え付けられ，「ドラム場」と呼ばれる地上の延線開始地点から上昇する。ヘリコプターに搭乗した作業員は，ドラムから延線ロープを繰り出しながら，最初の鉄塔の上空まで達した際，延線ロープを作業員が待機している位置に誘導を行なう。鉄塔上部で待機していた作業員は，ヘリコプターの風圧を受けながら，懸垂された延線ロープを受取り，紐や固定具などで送電鉄塔の腕金への固縛作業を行なう。固縛完了の合図を受けたヘリコプターは，ドラムから延線ロープを繰り出しながら，次の鉄塔まで飛び，同様の固縛作業を行なう。
【０００５】
このようにして，１０基程度の送電鉄塔に延線ロープが固縛された状態を作り，ヘリコプターは「エンジン場」と呼ばれる架線終点地点に降下して，延線ロープの設置作業が完了する。
【０００６】
延線ロープから鋼線，送電線へと張り替えを行う作業は，別の日に次のようにして行なう。鉄塔の腕金に一旦固縛された延線ロープは，作業員によって固縛を放ち，金車に乗せ替えの作業を行う。金車は送電線の延線作業などに使う滑車である。すべての鉄塔において延線ロープが金車に乗せられた状態にした後に，ドラム場にて延線ロープの端を鋼線に繋ぎ替え，エンジン場においてもう一方の延線ロープの端を引く。延線ロープは鋼線に張り替えられ，また同様な方法で鋼線を送電線に張り替えを行い，送電線の架設が完了する。
【０００７】
このようなヘリコプターを使って送電線を架設する従来工法としては，無人ヘリによりメッセンジャワイヤ（延線ロープ）を架設する工法が開示されている（特許文献１）。
【０００８】
また，長いスパンの鉄塔間の鋼線の架設をヘリコプターにより行う工法としては，張力を管理しながら空中架線する工法が開示されている（特許文献２）。
【特許文献１】特開平６−２７６６３４号公報
【特許文献２】特開平８−１４４２１８号公報
【発明の開示】
【発明が解決しようとする課題】
【０００９】
送電線を架設する際には，ヘリコプターを用いた延線ロープの設置が必要となるが，この送電線の架設が前述のような工法によってなされることから，次のような作業上の安全面及びコスト面の課題が生じる。
【００１０】
すなわち，高所で作業を行なう作業員は，通常の送電線の目視点検や設置工事においては，実際に鉄塔上部に上り，作業を行なうことが必要となる。延線ロープの固縛作業においては，高所での危険性に加えて，鉄塔近傍をヘリコプターがホバリングすることによる風圧に対してバランスをとりながら作業を行なわなければならない。また空中を移動する延線ロープを捕まえて鉄塔の腕金に固定する際には，ヘリコプターの思わぬ移動によりロープに力が加わるなどの危険性が増すために，延線ロープを安全に且つ確実に鉄塔に固縛することが困難である。
【００１１】
また，延線ロープの設置作業を行なう際には，鉄塔上部で作業を行なう作業員を２０名以上確保する必要があることから，コスト的な負担も多い。
【００１２】
そこで，本発明の目的は，鉄塔上部での作業員による作業に代わって，ヘリコプターからの遠隔操作によって安全に且つ確実に延線ロープを鉄塔に固定することができるロープ固定装置を提供することにある。
【課題を解決するための手段】
【００１３】
上記目的を達成するための本発明のロープ固定装置の第１の技術的手段は，鉄塔間に架設されるロープを鉄塔に固定するために鉄塔に取り付けられるロープ固定装置において，ロック状態時に開いている上部開口部分から入るロープを収容する所定長さの溝部と，前記溝部にロープが収容されるとロック状態を解除するロック解除機構部と，ロック状態の解除により，前記溝部内のロープを前記溝部の側面に押圧し且つ前記溝部の上部開口部分を閉じて，ロープを固定するロープ固定部とを備えることを特徴とする。
【００１４】
本発明のロープ固定装置は，固定部をロック状態にして，ロープ架設工事の前にあらかじめ鉄塔に取り付けられる。ヘリコプターから降ろされてくるロープが溝部に収容されると，ロープ固定部のロック状態が解除され，ロック状態の解除により，ロープ固定部は，溝部に収容されロープを溝部の側面に押圧し且つ溝部の上部開口部分を塞いで，ロープを溝部内に固定するものである。
【００１５】
本発明のロープ固定装置の第２の技術的手段は，上記第１の技術的手段において，前記ロープ固定部が前記溝部内のロープの長さ方向への移動を抑止するクランプ部材を有することを特徴とする。
【００１６】
このクランプ部材は，ロープが自重やヘリコプターの移動により前後（長さ方向に移動）した場合に，ロープの前後の（長さ方向の）移動を抑止するものである。
【００１７】
本発明のロープ固定装置の第３の技術的手段は，上記第１又は第２の技術的手段において，前記ロック解除機構部が前記溝部の底部に設けられるスイッチを有し，前記ロープが前記スイッチに接触することにより，ロック状態を解除することを特徴とする。
【００１８】
このスイッチは，ロープが溝部に完全に収容されてから，ロック状態が解除されるように，溝部の底部にロック状態を解除するために設けられるものである。
【００１９】
本発明のロープ固定装置の第４の技術的手段は，上記第１乃至第３の技術的手段のいずれかにおいて，前記溝部の長さ方向が水平面に対して所定の角度分上下に傾斜するように揺動可能に前記鉄塔に取り付けられることを特徴とする。
【００２０】
この第４の技術的手段は，ロープ固定装置を水平から左右所定角度，軽い力で傾くことができる状態で取り付けることができるので，ロープがロープ固定装置の水平面と角度をなす状態で接近した場合でも，ロープの長さ方向にロープ固定装置の水平面を一致させることができる。これにより，ロープを固定するのに十分な長さを溝部に収容することができるようになる。
【００２１】
本発明のロープ固定装置の第５の技術的手段は，上記第１乃至第４の技術的手段のいずれかにおいて，前記ロープ固定部がロープを前記溝部の側面に押圧するバネを有し，ロック状態の解除により，ロック状態で圧縮保持されていたバネが解放されることで，前記バネがロープを前記溝部の側面に押圧することを特徴とする。
【００２２】
この第５の技術的手段は，バネの力を利用した比較的簡単な構造によってロープを固定することができるという作用を有するものである。
【００２３】
本発明のロープ固定装置の第６の技術的手段は，上記第１乃至第５の技術的手段のいずれかにおいて，前記ロープ固定部によりロープが固定されたことを表示する表示部を備えることを特徴とする。
【００２４】
この表示部は，ヘリコプターに搭乗している作業員が遠隔からロープの固定完了を確認することができるように設けられるものである。
【００２５】
本発明のロープ固定装置の第７の技術的手段は，上記第６の技術的手段において，前記表示部が表示旗を格納するケースと，該ケースの蓋を閉状態に維持するように前記ケースに取り付けられるピンと，前記ロープ固定部と前記ピンを繋ぐ接続手段とを有し，ロック状態の解除による前記ロープ固定部の移動により，前記ピンが前記ケースから外れて前記ケースの蓋が開き，前記ケースの中から前記表示旗が外部に出現することを特徴とする。
【００２６】
本発明のロープ固定装置の第８の技術的手段は，上記第６の技術的手段において，前記表示部が前記ロープ固定部のロック状態で視認可能に外部に露出し且つロック解除による前記ロープ固定部の移動により外部から視認不能になるような前記ロープ固定部の部位にあり，該部位は，前記ロープ固定部の他の部位と異なる色の着色部分を有することを特徴とする。
【００２７】
本発明のロープ固定装置の第９の技術的手段は，上記第１乃至第８の技術的手段のいずれかにおいて，ロープを前記溝部の上部開口部分に誘導するガイド部を備えることを特徴とする。
【００２８】
このガイド部は，ヘリコプターの作業員がロープをロープ固定装置の溝部に容易に誘導することができるように機能するものである。
【００２９】
本発明のロープ固定装置の第１０の技術的手段は，上記第９の技術的手段において，前記ガイド部が前記ガイド部に沿って移動するロープを前記ガイド部上に置くための仮置き部を有することを特徴とする。
【００３０】
このガイド部は，ロープを適度な速度で溝部に落とし込む（誘導する）ことができるように機能するものである。
【発明の効果】
【００３１】
本発明は，送電線を張る工事における延線ロープ架設作業において，鉄塔上部に作業員を配置しなくとも，ヘリコプターから誘導されたロープを鉄塔上部に安全にかつ確実に固定することができるものである。したがって，従来の固縛作業という危険な仕事から作業員を解放することができると共に，天候に左右されるヘリコプターを用いた工事における作業員のコスト削減が図れるという効果が得られる。本発明は，送電線の架設のための工事の他に，橋梁へのロープ設置工事，ダム工事のロープ設置作業などにも適用することができるものである。
【発明を実施するための最良の形態】
【００３２】
以下，図面を参照して本発明の実施の形態について説明する。
【００３３】
図１は，本発明の実施の形態におけるロープ固定装置１の外観斜視図である。ロープ固定装置１は，台座２に取り付けられており，この台座２が鉄塔の腕金（鉄塔から横に延びている部分）上に固定されることによってロープ固定装置１を鉄塔に対して取り付けることができる。ロープ固定装置１は，上部からヘリコプターにより誘導される延線ロープを固定する機構を有しており，ロープ固定装置１全体の寸法は，長さ３７５ｍｍ，幅１１５ｍｍ，高さ１２０ｍｍ程度の大きさで，ステンレス材料によって作製されている。後述のガイド部を除いた重量は１３ｋｇ程度である。図１には，延線ロープ（例えば直径１６ｍｍ）がロープ固定装置１に固定されている状態が示されている。この延線ロープを固定する手段について，図２に沿って具体的に説明する。図２は，ロープ固定装置の内部側面図であり，図２（ａ）は，ロープ固定装置１のロープ固定動作前の状態を示し，図２（ｂ）は，ロープ固定動作後の状態を示す。
【００３４】
ロープ固定装置１は，上方から接近してくる延線ロープ（以下，単にロープと称する）を収容するように，上方に開口している所定長さの溝部１０を備えている。好ましくは，ロープを溝部１０に導入するための導入部１１を備えており，この導入部１１は，図示されるように，上方に広がる形状で，上方から接近してくるロープが溝部１０内に容易に入り込むように導くことができる形状に設計されている。
【００３５】
溝部１０の側方には，導入されたロープを押圧する固定部１２が設けられ，この固定部１２には，溝部１０の上方開口部分を閉じる蓋部１２ａが取り付けられている。この蓋部１２ａは，固定部１２が動作してロープを押圧している状態のときに，ロープが溝部１０から上方に抜去しないような機能を果たすものである。
【００３６】
固定部１２は，図の左右方向に移動可能であり，ハンドル１３を引くことにより左側に移動することができるように設けられている。また固定部１２には，バネ１４が取り付けられており，ハンドル１３を引いて固定部１２を左方向に移動させると，バネ１４が圧縮されることになる。ハンドル１３をさらに左方向に引くと，固定部１２の内部に内蔵されている小さいバネ１５が作用してロックピン１６の先端突起部を押し下げて下側に設けられた穴に嵌入させた状態となる。この状態では，バネ１４が圧縮状態を維持したままで固定部１２がロックされることになる。図２（ａ）は，固定部１２がロックされた状態を示すものである。
【００３７】
次に，固定部１２のロック状態を解除する手段について，図２（ｂ）に沿って説明する。図２（ｂ）は，固定部１２のロックが解除されてロープが固定部１２と蓋部１２ａによって溝部１０に固定された状態を示すものである。溝部１０の底部には，固定部１２のロック状態を解除するためのロック解除機構１８が設けられている。ロープが導入部１１に沿って自重で降りてきて溝部１０に誘導されると，ロープが溝部１０の底部に設置したロック解除機構１８のスイッチ（プレート）１８ａをその自重で押し下げることになる。このとき，てこの原理によりロック解除機構１８のもう一端のロック解除部１８ｂが上昇してロックピン１６を押し上げることになるので，穴に嵌入されているロックピン１６の先端突起部が固定部１２内に戻されて，ロックが解除されることになる。ロックが解除されると，圧縮状態に維持されているバネ１４の力で，固定部１２とその上の蓋部１２ａが右方向にスライドし，固定部１２が溝部１０内のロープをその側面２３に押圧して固定し，同時に蓋部１２ａが溝部１０の上方開口部分を閉じて，ロープは，溝部１０内にしっかりと固定されることになる。この状態では，蓋部１２ａは，溝部１０の上方開口部分を塞いでいる（閉じている）ので，ロープに上向きの力が加わっても，上部にロープが抜け出ることはない。
【００３８】
本発明のロープ固定装置１は，その内部を上面から見ると，図３に示す構造となっている。図３（ａ）は，ロープ固定装置１のロープ固定動作前の状態を示し，図３（ｂ）は，ロープ固定動作後の状態を示している。図３に示す構造について説明すると，固定部１２は，二つのバネ１４とハンドル１３から構成され，蓋部１２ａは，固定部１２と同じ幅に構成されている。ロックピン１６によるロックを解除するためのスイッチ（プレート）１８ａは，溝部１０のほぼ中央付近に設置されている。これは，スイッチ１８ａが端近くにある場合には，ロープの一端が溝部１０の端に接触しただけでロックが解除される事態が発生しうるので，十分にロープが固定されないという事態を防ぐためである。
【００３９】
また，固定部１２の側面２３には，ロープをしっかり固定するために，滑り防止のための凹凸が設けられている。この凹凸によって固定部１２と蓋部１２ａによってロープを押圧した状態でしっかりとロープを固定することが可能となる。この側面２３の凹凸面に替えて扇形クランプ２０を固定部１２と反対側に対をなすように設置してもよい。図３に示す扇形クランプ２０には，ロープの接触面側にぎざぎざ状の歯面が設けられており，この歯面がロープに噛み込んで締め付けるので，ロープが溝部１０の長さ方向に移動することを抑止することができる。
【００４０】
このように，本発明のロープ固定装置１では，固定部１２のバネ１４による押圧力と，扇形クランプのぎざぎざ状の歯面による締め付け力により，作業員が紐や固定具などでロープを固縛するのと同等又はそれ以上のロープ固定を達成することができる。なお，図３に示すクランプの形状は，扇形であるが，この扇形に限られるものではない。
【００４１】
次に，本発明のロープ固定装置１を鉄塔の腕金上の台座２に取り付けた状態について，第４図に沿って説明する。
【００４２】
図４（ａ）は，ロープ固定装置１が台座２に水平に取り付けられている状態を示す図，図４（ｂ）は，傾斜して取り付けられている状態を示す図，また図４（ｃ）は，ロープ固定装置１が揺動している状態を示す図である。
【００４３】
本発明のロープ固定装置１は，水平面における固定部１２が移動する方向と直角の方向（ロープの長さ方向）に所定角度分上下に傾くことができるように揺動可能（スイング可能）に台座２に取り付けられている。ロープがロープ固定装置１の溝部１０の面とある角度をなす状態で接近した場合に，そのロープがロープ固定装置１の一端に接触して力が作用しても，その力に対してロープ固定装置１が揺動するように取り付けられているので，ロープの傾き方向に対して溝部１０の面が自然に追随することができる。したがって，ロープは，溝部１０の面と一定長の範囲に亘って接触することができるので，ロープの一端のみが固定されるようなことはなく，固定部１２の全面でロープを押圧・固定することが可能となる。
【００４４】
ロープ固定装置１が揺動して傾斜する角度については，ロープの太さやロープ固定装置の大きさによって適宜設定可能であり，上下に１５〜２５度程度の傾斜が可能な揺動構造（スイング構造）に設計すれば，本ロープ固定装置に対して有効に機能する。例えば水平面に対して上下に１５度程度であれば，軽い力で容易に傾くことができる。
【００４５】
ロープ固定装置１には，その周囲にガイド部２１及び表示部２２などの補助部材を設置することが好ましい。図５は，ガイド部２１及び表示部２２を取り付けた概況を示す。
【００４６】
ロープ固定装置１は，鉄塔の腕金上に取り付けられるので，ヘリコプターからの遠隔操作により，延線用のロープをロープ固定装置１の細い溝部１０へ確実に誘導する必要があるが，導入部１１だけでは，ロープを溝部１０の位置に合わせる作業が困難な場合があるために，ロープ固定装置１の周囲にロープを安全にかつ確実に導入部１１に誘導することができるような補助部材を設置することが好ましい。図５には，その一例としてガイドレール２１ａ及びやり出し２１ｂで構成されたガイド部２１が図示されている。このガイド部２１は，ロープ固定装置１の両側に設けられ，ロープ固定装置１の導入部１１や溝部１０にロープを安全にかつ確実に誘導する働きをするものである。鉄塔の腕金は，一般的には鉄塔側から離れる方向に下がるように取り付けられていることが多いことから，鉄塔側には腕金に沿ったガイドレール２１ａを，そして離れた側には落下防止のやり出し２１ｂをガイド部２１として設けるのが好ましく，このようなガイド部２１によって，ヘリコプターの作業員がロープをロープ固定装置１まで安全にかつ確実に誘導することができることとなる。
【００４７】
ガイドレール２１ａは，強度の観点からは金属製でもよいが，鉄塔上で作業するために軽量であることが好ましいので，摩擦によりロープに損傷を与えないことを考慮すると，プラスチック製であってもよい。
【００４８】
ロープを安全にかつ確実に誘導するためには，ガイド部にさらに仮置き部２１ｃを設けることが好ましい。図６に仮置き部２１ｃを設けたガイド部２１の別の形状例を示す。この例の仮置き部２１ｃは，ロープを溝部１０に誘導する前にロープを一時的に置くためのものであり，ロープが接触して移動するガイドレール２１ａ及び／又はやり出し２１ｂ上に凹み又は段差などを設けることによって構成することができる。
【００４９】
ガイド部２１上に仮置き部２１ｃを設けた場合には，次のような作用効果が得られる。すなわち，延線用ロープは，鉄塔間にある程度のたるみをもって張ることとなるが，その際に，この仮置き部２１ｃにロープを一旦置いて，ヘリコプターを前後（鉄塔間の方向）に微調整移動させることにより，このたるみの調整を行うことができるようになる。また，ロープが勢いよく急激にロープ固定装置１に接触した場合には，その反動でロープが浮き，不安定な固定状態になる事態が生じるし，バウンドすることによってロープが溝部１０にうまく誘導できない事態が生じる虞もあるが，この仮置き部２１ｃをガイド部２１に設けた場合には，ロープを一旦仮置きすることができるので，ロープの急激な接触やバウンドを未然に防止して適度なスピードで溝部１０にロープを落とす（誘導する）ことができる。なお，ガイド部２１のガイドレール２１ａ及びやり出し２１ｂは，その設置角度や設置長さを適宜調整できるように設計することが好ましく，図６には，やり出し２１ｂの設置角度が調整可能であることが図示されている。
【００５０】
本発明のロープ固定装置１では，図示されていないが，ロープが万一不安定な状態で固定されてしまった場合や，溝部１０にロープがうまく収容されない状態でロック機構が解除された場合には，遠隔操作によりモータを稼動することなどにより，固定部１２を図２において矢印で示す左方向に移動させて，再度固定部１２をロック状態にすることができるように設計することもできる。
【００５１】
次に，ロック解除を表示する表示部について説明する。表示部２２は，図５に示すように，腕金などに吊下げられるもので，溝部１０に収容されたロープが固定部１２により固定されたことを表示する手段であり，ロック解除により固定部１２が正常に動作してロープを固定した場合に，その動作完了をヘリコプターの作業員に伝えるためのものである。
【００５２】
表示部２２の具体的な構成例を図７に示す。図７（ａ），（ｂ）は，待機状態における表示部２２内部の側面図及び正面図であり，図７（ｃ），（ｄ）は，作動状態における表示部２２内部の側面図及び正面図である。表示部２２では，待機状態において，細長形状のケース内に表示旗２２ａが格納されている。ロープ固定装置１を設置する際に，ハンドル１３を引いて固定部１２をロックするが，そのとき固定部１２に接続された止めピン引き抜きチェーン（接続手段）２２ｂの端に取り付けてある止めピン２２ｃで表示部２２のケースの蓋を閉じ，チェーン２２ｂを緩みのない状態で設置する（図７（ａ），（ｂ））。ロック状態が解除されて固定部１２がロープを押す方向にスライドすると，チェーン２２ｂが引かれることで止めピン２２ｃが抜ける。これにより表示部２２の蓋が開き，中に格納されていた表示旗２２ａが垂れ下がる（図７（ｃ），（ｄ））。表示旗２２ａが外部に出現するのをヘリコプターの作業員が目視することで，当該鉄塔に対して延線ロープが固定されたことを確認することができる。
【００５３】
表示部２２は，その片面に組み込んでいる磁石によって，鉄塔の腕金に取り付けることができる（図５参照）。この磁石は簡単に取り外しができるので，表示部２２の取り付け位置をずらすことによって止めピン引き抜きチェーン２２ｂの緩みを容易に調節することが可能となる。
【００５４】
図８は，表示部２２の別の構成例を示す図である。図８（ａ）は，待機状態における表示部２２の位置を示し，図８（ｂ）は，作動状態における表示部２２の位置を示す。図８における表示部２２は，固定部１２がロック状態のときは視認可能に外部に露出し，且つ固定部１２のロック状態が解除され固定部１２がスライドすると，ロープ固定装置１の内部に隠れ，視認不能になるような部位にあり，その部位に遠隔から視認できる程度に他の部位と異なる色を施したものである。該色が見えなくなることで，固定部１２によりロープが正常に固定されていることを判別することが可能となる。また，単に着色するだけではなく，例えば記号，文字などとして着色が施されてもよい。この構成例は，ロープが不安定な固定状態になった場合や，溝部１０にロープがうまく収容されない状態でロック機構が解除された場合に，遠隔操作などによって再度ロープの固定操作を行う場合に有効である。
【図面の簡単な説明】
【００５５】
【図１】本発明の実施の形態におけるロープ固定装置の外観斜視図である。
【図２】ロープ固定装置の内部側面図である。
【図３】ロープ固定装置の内部を上面から見た平面図である。
【図４】ロープ固定装置が鉄塔の腕金に固定される台座２に連結された状態を示す図である。
【図５】ロープ固定装置１にガイド部及び表示部を設置した状況を示す。
【図６】ガイド部の別の形状例を示す図である。
【図７】表示部２２の構成例を示す図である。
【図８】表示部２２の別の構成例を示す図である。
【図９】従来の延線ロープを張る工事の概要を示す図である。
【符号の説明】
【００５６】
１：ロープ固定装置，２：台座，１０：溝部，１１：導入部，１２：固定部，１２ａ：蓋部，１３：ハンドル，１４：バネ，１５：バネ，１６：ロックピン，１８：ロック解除機構，１８ａ：スイッチ，１８ｂ：ロック解除部，２０：扇型クランプ，２１：ガイド部，２１ａ：ガイドレール，２１ｂ：やり出し，２１ｃ：仮置き部，２２：表示部，２２ａ：表示旗，２２ｂ：チェーン，２２ｃ：止めピン，２３：側面
【図１】
0005113589.tif 000002
【図２】
0005113589.tif 000003
【図３】
0005113589.tif 000004
【図４】
0005113589.tif 000005
【図５】
0005113589.tif 000006
【図６】
0005113589.tif 000007
【図７】
0005113589.tif 000008
【図８】
0005113589.tif 000009
【図９】
0005113589.tif 000010